(57)【要約】【課題】遮光シートの移動平面に対し交差する方向に対して薄型であるとともに、スムーズな動作性を備えるサンシェード装置を提供する。【解決手段】遮光シート３２の幅方向に沿って延設されるとともに該遮光シートの移動端部に連結されるガーニッシュ３３と、ガーニッシュ３３の幅方向両端部にそれぞれ連係され、遮光シート３２の移動方向に延設される一対のガイドレールに移動自在に連係されるドライブケーブル２８（２８ａ，２８ｂ）と、ガーニッシュ３３の両端部にそれぞれ対向してドライブケーブル２８に設けられたシュー３６と、ガーニッシュ３３の幅方向両端部に設けられシュー３６に噛合可能なランナー３５と、シュー３６及びランナー３５が噛合するように付勢する付勢部材とを備え、シュー３６及びランナー３５は噛合位置をガーニッシュ３３の移動方向に調整自在な調整幅を有する。【選択図】図１
2010000982.tif 000002
【特許請求の範囲】
【請求項１】
車両開口部に透光エリアを形成する透光部材を遮る方向及び開放する方向に移動自在な遮光シートの幅方向に沿って延設されるとともに該遮光シートの移動端部に連結されるガーニッシュと、
前記ガーニッシュの幅方向両端部にそれぞれ連係され、前記遮光シートの移動方向に延設される一対のガイドレールに移動自在に連係されるドライブケーブルと、
前記ガーニッシュの前記両端部の少なくとも一方に対向して前記ドライブケーブルに設けられたケーブル噛合部と、
前記ケーブル噛合部に対向する前記ガーニッシュの幅方向端部に設けられ、前記ケーブル噛合部に噛合可能なガーニッシュ噛合部と、
前記ケーブル噛合部及び前記ガーニッシュ噛合部が噛合するように付勢する付勢部材とを備え、
前記ケーブル噛合部及び前記ガーニッシュ噛合部の少なくとも一方は噛合位置を前記ガーニッシュの移動方向に調整自在な調整幅を有することを特徴とするサンシェード装置。
【請求項２】
請求項１に記載のサンシェード装置において、
前記ケーブル噛合部及び前記ガーニッシュ噛合部のうちのいずれか一方の有する前記調整幅はいずれか他方の有する前記調整幅よりも大きく設定されており、その調整幅が大きく設定された前記ケーブル噛合部又は前記ガーニッシュ噛合部の調整方向両端に、噛合位置の調整範囲を制限する規制部を設けたことを特徴とするサンシェード装置。
【請求項３】
請求項１又は２に記載のサンシェード装置において、
前記ケーブル噛合部及び前記ガーニッシュ噛合部は、前記ガーニッシュの幅方向に対向して噛合することを特徴とするサンシェード装置。
【請求項４】
請求項３に記載のサンシェード装置において、
前記ケーブル噛合部及び前記ガーニッシュ噛合部のいずれか一方は、前記噛合位置の前記遮光シートの移動平面に対し交差する方向へのずれを規制する交差方向規制部を有することを特徴とするサンシェード装置。
【請求項５】
請求項１〜４のいずれか一項に記載のサンシェード装置において、
前記ケーブル噛合部又は前記ガーニッシュ噛合部は、前記ガイドレールに形成されたガイド溝に移動自在に収納されたことを特徴とするサンシェード装置。
【請求項６】
請求項１〜５のいずれか一項に記載のサンシェード装置において、
前記遮光シートの幅方向に延在するロール部材を有し、
前記遮光シートの固定端部はロール部材に連結されて、ロールサンシェード装置を構成することを特徴とするサンシェード装置。
【発明の詳細な説明】
【技術分野】
【０００１】
本発明は、サンシェード装置、特にロールサンシェード装置に関するものである。
【背景技術】
【０００２】
従来のサンシェード装置では、例えば特許文献１に記載されたものが知られている。このサンシェード装置は、巻取ローラに巻き取り可能な少なくとも一つの遮光シートの自由端側の端部が連結される少なくとも一つのマウンティングロッドを備えるとともに、遮光シートの幅方向に延在する長尺状のガーニッシュ（４）を備える。マウンティングロッドの長手方向中心部には回転軸が配置されて、該回転軸は該マウンティングロッドをガーニッシュに回転自在に連結する。そして、左右両側のドライビングケーブル（２４，２５）を通じてガーニッシュの長手方向両端部に同時に引っ張り力が付与されると、該ガーニッシュがマウンティングロッドと一体で移動することで該マウンティングロッドに端部の連結された遮光シートが引き出される。そして、例えばドライビングケーブルが伸びるなどによりガーニッシュの長手方向両端部がガーニッシュ移動方向に相対的に位置ずれを起こした場合、その位置ずれにより該移動方向に対してガーニッシュは傾いてしまう。しかし、こうしたガーニッシュの傾きに対してマウンティングロッドが回転することにより、マウンティングロッドは該位置ずれの影響を受けない。すなわち、該マウンティングロッド長手方向（軸線）が巻取ローラの巻き取り軸と平行に保たれる。そのため、遮光シートは巻き取り軸に対して垂直に引き出される。それゆえ、ガーニッシュの傾きの影響で遮光シートが傾くことがないため、遮光シートが他の部材に干渉することなく、サンシェード装置のスムーズな動作性を確保できる。また、二つ以上の遮光シートを用いることで、これらを平面状に展開するのみならず、Ｗ曲率（車両左右方向の曲率）や開口前後の曲率にマッチするように展開することが併せて提案されている。
【特許文献１】米国特許第６，６３４，７０３  Ｂ１号明細書（第１−４図）
【発明の開示】
【発明が解決しようとする課題】
【０００３】
ところが、特許文献１では、前述のサンシェード装置のスムーズな動作性を確保するために、長尺状のガーニッシュ及びマウンティングロッドを車両高さ方向に重ねて連結している。また、ガーニッシュは回転軸でマウンティングロッド及び遮光シートを保持する必要があり、高い動作信頼性を得るためには十分な強度が必要となる。それゆえ、それらの全長に亘って車両高さ方向への大型化を余儀なくされ、例えばヘッドクリアランスが低減されてしまう等の弊害が生じる。本発明の目的は、前記遮光シートの移動平面に対し交差する方向に対して薄型であるとともに、スムーズな動作性を備えるサンシェード装置を提供することにある。
【課題を解決するための手段】
【０００４】
上記問題点を解決するために、請求項１に記載の発明は、車両開口部に透光エリアを形成する透光部材を遮る方向及び開放する方向に移動自在な遮光シートの幅方向に沿って延設されるとともに該遮光シートの移動端部に連結されるガーニッシュと、前記ガーニッシュの幅方向両端部にそれぞれ連係され、前記遮光シートの移動方向に延設される一対のガイドレールに移動自在に連係されるドライブケーブルと、前記ガーニッシュの前記両端部の少なくとも一方に対向して前記ドライブケーブルに設けられたケーブル噛合部と、前記ケーブル噛合部に対向する前記ガーニッシュの幅方向端部に設けられ、前記ケーブル噛合部に噛合可能なガーニッシュ噛合部と、前記ケーブル噛合部及び前記ガーニッシュ噛合部が噛合するように付勢する付勢部材とを備え、前記ケーブル噛合部及び前記ガーニッシュ噛合部の少なくとも一方は噛合位置を前記ガーニッシュの移動方向に調整自在な調整幅を有することを要旨とする。
【０００５】
同構成によれば、作動時は、前記付勢部材により前記ケーブル噛合部及び前記ガーニッシュ噛合部が噛合するように付勢されることで、前記ドライブケーブルとともに前記ガーニッシュが移動し、前記遮光シートが前記透光部材を遮る方向又は開放する方向に移動する。一方、例えば前記ドライブケーブルが伸びるなどして前記ガーニッシュの前記両端部間に前記ガーニッシュの移動方向で位置ずれが生じた場合を想定する。前記ケーブル噛合部及び前記ガーニッシュ噛合部の少なくとも一方は噛合位置を前記ガーニッシュの移動方向に調整自在な調整幅を有しているため、前記付勢部材の付勢力に抗して前記ケーブル噛合部及び前記ガーニッシュ噛合部の噛合状態を解除しそれらの噛合位置を前記ガーニッシュの移動方向へずらすことで、大掛かりな分解作業を行うことなく前記ガーニッシュの前記両端部間の位置ずれを調整できる。そのため、ガーニッシュの傾きの影響で遮光シートが傾いてしまっても、該位置ずれの調整により遮光シートの傾きを無くすことができる。それゆえ、サンシェード装置のスムーズな動作性を確保できる。また、このように該位置ずれの調整ができるため、該ガーニッシュ（ガーニッシュ噛合部）に対向するケーブル噛合部に要求される組み付け時の位置精度を緩和することができ、その分、組付性を向上することができる。特に、該位置ずれを調整する機構を、該ガーニッシュ及び前記ドライブケーブルの連結部（ケーブル噛合部及びガーニッシュ噛合部）に集約的に配設したことで、例えば従来のサンシェード装置のような前記遮光シートの移動平面に対し交差する方向に調整機構を重ねて配設する場合に比べて該方向に対して薄型化できる。
【０００６】
請求項２に記載の発明は、請求項１に記載のサンシェード装置において、前記ケーブル噛合部及び前記ガーニッシュ噛合部のうちのいずれか一方の有する前記調整幅はいずれか他方の有する前記調整幅よりも大きく設定されており、その調整幅が大きく設定された前記ケーブル噛合部又は前記ガーニッシュ噛合部の調整方向両端に、噛合位置の調整範囲を制限する規制部を設けたことを要旨とする。
【０００７】
同構成によれば、前記規制部により前記ケーブル噛合部及び前記ガーニッシュ噛合部の噛合位置の調整範囲が制限されることで、前記ガーニッシュの位置ずれが過剰に調整されて前記ケーブル噛合部及び前記ガーニッシュ噛合部の噛合力が不十分になり、あるいは噛合が外れたりすることを抑制することができる。
【０００８】
請求項３に記載の発明は、請求項３に記載のサンシェード装置において、前記ケーブル噛合部及び前記ガーニッシュ噛合部のいずれか一方は、前記噛合位置の前記遮光シートの移動平面に対し交差する方向へのずれを規制する交差方向規制部を有することを要旨とする。
【０００９】
同構成によれば、前記付勢部材は、前記ガーニッシュの幅方向に付勢力を発生すればよいことから、前記ケーブル噛合部及び前記ガーニッシュ噛合部とともに前記ガーニッシュの幅方向に並べて配設することができ、前記遮光シートの移動平面に対し交差する方向にサンシェード装置をより薄型化することができる。
【００１０】
請求項４に記載の発明は、請求項３に記載のロールサンシェード調整機構において、前記ケーブル噛合部及び前記ガーニッシュ噛合部のいずれか一方は、前記ケーブル噛合部及び前記ガーニッシュ噛合部の噛合位置の車両高さ方向へのずれを規制する高さ規制部を有することを要旨とする。
【００１１】
同構成によれば、前記交差方向規制部により前記噛合位置の前記遮光シートの移動平面に対し交差する方向へのずれが規制されることで、該ずれによって前記ケーブル噛合部及び前記ガーニッシュ噛合部の噛合力が不十分になり、あるいは噛合が外れたりすることを抑制することができる。
【００１２】
請求項５に記載の発明は、請求項１〜４のいずれか一項に記載のサンシェード装置において、前記ケーブル噛合部又は前記ガーニッシュ噛合部は、前記ガイドレールに形成されたガイド溝に移動自在に収納されたことを要旨とする。
【００１３】
同構成によれば、前記ケーブル噛合部及び前記ガーニッシュ噛合部は、前記ガイド溝に収納されて外部への露出が抑制されるため、例えば車室内側からの見栄えを向上することができる。
【００１４】
請求項６に記載の発明は、請求項１〜５のいずれか一項に記載のサンシェード装置において、前記遮光シートの幅方向に延在するロール部材を有し、前記遮光シートの固定端部はロール部材に連結されて、ロールサンシェード装置を構成することを要旨とする。
【００１５】
同構成によれば、ロールサンシェード装置においても、前記ガーニッシュの前記両端部の相対的な位置ずれを調整できるため、前記ガーニッシュの幅方向（軸線）が前記ロール部材の巻き取り軸と平行に調整可能となる。それゆえ、遮光シートは巻き取り軸に対して垂直に引き出すことができる。
【発明の効果】
【００１６】
本発明では、遮光シートの移動平面に対し交差する方向に対して薄型であるとともに、スムーズな動作性を備えるサンシェード装置を提供することができる。
【発明を実施するための最良の形態】
【００１７】
以下、本発明を具体化した一実施形態を図面に従って説明する。
図５は、自動車などの車両ルーフ１０を示す斜視図である。同図に示されるように、車両ルーフ１０には、車両開口部としての略四角形のルーフ開口部１０ａが形成されるとともに、該ルーフ開口部１０ａに透光エリアを形成する透光部材としてのガラス製のルーフパネル１１が設置されている。
【００１８】
図１は、車両ルーフ１０を示す平面図である。同図に示されるように、車両ルーフ１０には、前記ルーフ開口部１０ａの車両幅方向両側縁部において、車両前後方向に延在する一対の支持ブラケット１２，１３が設置されるとともに、車両幅方向に延在して前記両支持ブラケット１２，１３の前端部間を橋渡しするフロントブラケット１４が設置されている。そして、一方の支持ブラケット１２の前端部には、ルーフ開口部１０ａの対角方向に並設された一対のプーリ２１，２２が回転自在に連結されるとともに、後端部には、プーリ２３が回転自在に連結されている。同様に、他方の支持ブラケット１３の前端部には、ルーフ開口部１０ａの対角方向に並設された一対のプーリ２４，２５が回転自在に連結されるとともに、後端部には、プーリ２６が回転自在に連結されている。
【００１９】
また、フロントブラケット１４の長手方向中央部には、アクチュエータ２７が取着されている。このアクチュエータ２７は、電動モータ２７ａを備えるとともに該電動モータ２７ａの回転軸に駆動連結されるドラム２７ｂを備える。そして、ドラム２７ｂには、その回転に伴い一方の端末が巻き取られるとともに他方の端末が繰り出されるワイヤ（ロープ）製のドライブケーブル２８が巻回されている。このドライブケーブル２８は、ドラム２７ｂからフロントブラケット１４に沿って支持ブラケット１２側に延びて前記プーリ２１，２３に順次掛けられるとともに、該プーリ２３において反転されてプーリ２２に掛けられ、更に該プーリ２２からフロントブラケット１４に沿って支持ブラケット１３側に延びて前記プーリ２４，２６に順次掛けられる。そして、ドライブケーブル２８は、プーリ２６において反転されてプーリ２５に掛けられ、フロントブラケット１４に沿って前記ドラム２７ｂに戻る。つまり、ドライブケーブル２８は、いわゆる一筆書きができるように１本で繋がっている。なお、ドライブケーブル２８において、プーリ２２，２３間に掛け渡される範囲及びプーリ２５，２６間に掛け渡される範囲を便宜的にそれぞれケーブル部２８ａ，２８ｂと表す。これら両ケーブル部２８ａ，２８ｂは、ルーフ開口部１０ａを挟んで車両幅方向で対向しており、互いに平行になっている。
【００２０】
ここで、アクチュエータ２７が駆動されて、例えばドラム２７ｂによりドライブケーブル２８がプーリ２１側に繰り出されるとともにプーリ２５側から巻き取られると、前記両ケーブル部２８ａ，２８ｂにおいて車両前方への移動が生じる（実線矢印にて図示）。一方、ドラム２７ｂによりドライブケーブル２８がプーリ２１側から巻き取られるとともにプーリ２５側に繰り出されると、前記両ケーブル部２８ａ，２８ｂにおいて車両後方への移動が生じる（破線矢印にて図示）。
【００２１】
前記支持ブラケット１２，１３の後端部には、車両幅方向（両ケーブル部２８ａ，２８ｂの直交方向）に延びる巻き取り軸Ｏ１を有して車両幅方向に延在する巻取ローラ３１の両端部が支持されている。この巻取ローラ３１には、巻き取り・繰り出し可能な遮光シート３２が巻回されており、その内蔵する付勢手段により該遮光シート３２を巻き取る側に常時付勢している。つまり、遮光シート３２の固定端となる端部（固定端部）は、巻取ローラ３１に連結されている。
【００２２】
前記遮光シート３２の自由端となる端部には、前記巻取ローラ３１と同等の長さを有して該巻取ローラ３１（巻き取り軸Ｏ１）と平行に車両幅方向（遮光シート３２の幅方向）に延在する長尺状のガーニッシュ３３が連結されている。
【００２３】
ガーニッシュ３３の長手方向両端部には、ランナー３５がそれぞれ装着されるとともに、前記ケーブル部２８ａ，２８ｂには、これらランナー３５に車両幅方向で対向して該ランナー３５に係合されるシュー３６がそれぞれ固着されている。従って、両シュー３６は、車両幅方向に対向配置されており、車両前後方向の位置が互いに同等となっている。ランナー３５及びシュー３６は、ガーニッシュ噛合部及びケーブル噛合部をそれぞれ形成する。
【００２４】
このように、ガーニッシュ３３の長手方向各端部は、ランナー３５及びシュー３６を介して前記各ケーブル部２８ａ，２８ｂ（ドライブケーブル２８）に連結されており、前述の態様で両ケーブル部２８ａ，２８ｂにおいて車両前後方向への移動を生じると、前記ガーニッシュ３３は一体で前記巻取ローラ３１（巻き取り軸Ｏ１）との平行状態を保ったまま車両前後方向に移動する。そして、例えばガーニッシュ３３が車両前方に移動すると、該ガーニッシュ３３に端部の連結された遮光シート３２が前記ルーフパネル１１を遮る方向に移動すべく巻取ローラ３１から繰り出される。あるいは、ガーニッシュ３３が車両後方に移動すると、前記遮光シート３２が前記ルーフパネル１１を開放する方向に移動すべく巻取ローラ３１に巻き取られる。
【００２５】
なお、前記支持ブラケット１２，１３には、例えばアルミニウム製の押出材からなるガイドレール１５が設置されている（図２参照）。両ガイドレール１５は、互いに対向する方向（車両幅方向）に開口するガイド溝１５ａを有して略コの字の一定断面を有しており、前記ケーブル部２８ａ，２８ｂに沿って車両前後方向に延在する。そして、前記ケーブル部２８ａ，２８ｂに固着されたシュー３６は、該シュー３６と係合するランナー３５ともどもガイドレール１５に摺動自在に支持されている。このとき、前記ランナー３５及び前記シュー３６の係合部は、前記ガイド溝１５ａに移動自在に収納されて外部への露出が抑えられている。
【００２６】
次に、前記ランナー３５及びシュー３６の係合構造について図２〜図４に従って更に説明する。本実施形態において、車両幅方向両側における前記ランナー３５及びシュー３６の係合構造は、左右対称であることを除き互いに同等であるため、以下では車両前方に向かって左側に配置される同構造を代表して説明する。なお、図２及び図３は、前記係合構造を示す斜視図及び分解斜視図である。また、図４（ａ）（ｂ）は、同係合構造を示す平面図及び正面図であり、図４（ｃ）は、図４（ｂ）のＡ−Ａ線に沿った断面図である。
【００２７】
図２に示されるように、前記ガーニッシュ３３は、車両幅方向に延在する長尺状のガーニッシュ本体３７を有するとともに、該ガーニッシュ本体３７の長手方向先端部に形成された略四角形の嵌合孔３７ａに挿入・嵌合される樹脂材からなるブロック状の保持部材３８を有する。そして、保持部材３８には、前記ドライブケーブル２８（シュー３６）に対向する先端面から車両幅方向内側に凹設された略四角形のガイド穴３８ａが形成されるとともに、車両幅方向中間部において車両前後方向に貫通するスリット３８ｂが形成されている。このスリット３８ｂは、車両前後方向中間部で前記ガイド穴３８ａに連通している（図４（ｃ）参照）。換言すれば、前記ガイド穴３８ａは、スリット３８ｂにより車両幅方向中間部で車両前後方向に開放されている。
【００２８】
また、保持部材３８には、前記ガイド穴３８ａを上側にその開口幅よりも小さい開口幅で開放する矩形状の切り欠き３８ｃが形成されている。この切り欠き３８ｃは、車両幅方向に延びて外側に連通する。なお、図４（ｃ）に示されるように、ガイド穴３８ａの底部（開口部の反対側）は、縮開されて座部３８ｄを形成する。
【００２９】
前記ランナー３５は、例えば樹脂材にて成形されており、前記ガイド穴３８ａに挿入・嵌合されるブロック状のガイド部４１及び該ガイド部４１の保持部材３８から突出する先端から車両前後方向両側に延出する調整部４２を有して略Ｔ字形状を呈する。そして、前記ガイド部４１には、ガイド穴３８ａに挿入される先端の車両前後方向両側から該ガイド穴３８ａに沿って車両幅方向内側に更に延出する一対の延出片４１ａが形成されるとともに、図３に示されるように該各延出片４１ａに片持ち支持されて車両前後方向外側に爪状に突出する係止爪４１ｂが形成されている。従って、ガイド部４１が両係止爪４１ｂを弾性変形させつつガイド穴３８ａに挿入されると、前記スリット３８ｂにおいてガイド穴３８ａから解放された両係止爪４１ｂは、弾性復帰に伴いガイド穴３８ａよりも車両前後方向外側に突出する。そして、ガイド部４１（ランナー３５）は、両係止爪４１ｂが車両幅方向外側でそれぞれ前記スリット３８ｂの内壁面に対向することで、保持部材３８に対し抜け止めされる。このとき、ガイド部４１（ランナー３５）は、車両幅方向への所定範囲での移動が許容されている。
【００３０】
なお、前記ガイド部４１には、ガイド穴３８ａに挿入される先端の中央部から車両幅方向に突出するガイドピン４１ｃが形成されている。そして、このガイドピン４１ｃには、前記座部３８ｄ及びガイド部４１間に介装された付勢部材としてのコイルスプリング３９の先端部が挿入されている。このコイルスプリング３９は、ガイド部４１（ランナー３５）が車両幅方向外側に押し出される側の付勢力を発生する。
【００３１】
また、前記ガイド部４１には、上側にピン状に突出して前記切り欠き３８ｃに挿入される操作部４１ｄが一体形成されている。従って、ランナー３５は、コイルスプリング３９の付勢力に抗して操作部４１ｄを切り欠き３８ｃに沿って車両幅方向内側に移動させることで一体で当該方向に移動する。
【００３２】
前記調整部４２は、車両前後方向に並設された規制部としての一対の側壁４２ａ，４２ｂ、これら側壁４２ａ，４２ｂの上端間を連結する交差方向規制部としての上壁４２ｃ及びこれら側壁４２ａ，４２ｂの下端間を連結する下壁４２ｄを有して車両幅方向外側に開口する箱状に成形されており、その底壁（開口部に対向する壁）には、車両前後方向に所定間隔をおいて車両幅方向に凹凸を繰り返すラックギヤ状の噛合部４２ｅが形成されている。つまり、噛合部４２ｅは、開口部を通して車両幅方向外側に露出する態様で側壁４２ａ，４２ｂ、上壁４２ｃ及び下壁４２ｄにより包囲されている。
【００３３】
前記シュー３６は、例えば樹脂材にて前記両側壁４２ａ，４２ｂ間の長さよりも短い車両前後方向の長さ、並びに上壁４２ｃ及び下壁４２ｄ間の高さと同等の高さを有してブロック状に成形されており、前記ドライブケーブル２８が貫通する態様で該ドライブケーブル２８に固着されている。そして、前記噛合部４２ｅ（ランナー３５）に対向するシュー３６の車両幅方向内側の先端部には、前記噛合部４２ｅに噛合可能なラックギヤ状の噛合部３６ａが形成されている（図４（ｃ）参照）。
【００３４】
なお、シュー３６は、例えばランナー３５の車両幅方向内側への移動に伴い前記噛合部４２ｅ，３６ａの噛合状態が解除されると、前記両側壁４２ａ，４２ｂに規制されるまでの範囲でランナー３５に対する車両前後方向の相対移動が許容される。そして、この相対移動により、前記噛合部４２ｅ，３６ａの噛合位置が所定範囲内で車両前後方向（ガーニッシュ３３の移動方向）に調整可能となっている。つまり、噛合部４２ｅ，３６ａは、それぞれのギヤ形状の範囲で、噛合位置をガーニッシュ３３の移動方向に調整自在な調整幅を有する。従って、噛合部４２ｅの有する調整幅は、噛合部３６ａの有する調整幅よりも大きく設定されている。そして、噛合位置の調整の際、前記操作部４１ｄは、前記コイルスプリング３９の付勢力に抗して前記噛合部４２ｅ，３６ａの噛合状態を解除する操作入力に供される。そして、例えばシュー３６等の製造ばらつき・組付ばらつきやドライブケーブル２８の劣化に伴う伸びなどで前記ガーニッシュ３３の長手方向両端部がガーニッシュ３３移動方向に相対的に位置ずれを起こし、その位置ずれにより該移動方向に対してガーニッシュ３３が傾いたとする。このようにガーニッシュ３３の平行度（巻き取り軸Ｏ１及びガーニッシュ３３の長手方向の平行度）が損なわれたときは、前述の態様で噛合位置を調整することで該平行度を好適に保つことができる。また、前記噛合部４２ｅ，３６ａは、ランナー３５が前記コイルスプリング３９にて車両幅方向外側に付勢されて噛合するように付勢（押付け）されていることでそれらの噛合位置を保持する。
【００３５】
次に、本実施形態の動作について総括して説明する。
アクチュエータ２７の駆動により、前述の態様で両ケーブル部２８ａ，２８ｂにおいて車両前方への移動が生じると、これら両ケーブル部２８ａ，２８ｂに固着されたシュー３６にランナー３５を介して両端部（両保持部材３８）の連結されたガーニッシュ３３は、シュー３６及びランナー３５をガイドレール１５に摺動させつつ一体で車両前方に移動する。そして、ガーニッシュ３３に端部の連結された遮光シート３２は、ガーニッシュ３３の移動に伴って前記巻取ローラ３１から繰り出されルーフパネル１１を遮る。一方、両ケーブル部２８ａ，２８ｂにおいて車両後方への移動が生じると、同様にしてガーニッシュ３３は、シュー３６及びランナー３５をガイドレール１５に摺動させつつ一体で車両後方に移動する。そして、ガーニッシュ３３に端部の連結された遮光シート３２は、ガーニッシュ３３の移動に伴って前記巻取ローラ３１に巻き取られルーフパネル１１を開放する。
【００３６】
また、前記ガーニッシュ３３の平行度が損なわれたときは、ガーニッシュ３３の少なくとも一方の端部（保持部材３８）において、前記噛合部４２ｅ，３６ａの噛合位置を調整することで、前記平行度が改善される。
【００３７】
以上詳述したように、本実施形態によれば、以下に示す効果が得られるようになる。
（１）本実施形態では、アクチュエータ２７の駆動に伴う作動時は、コイルスプリング３９により前記噛合部４２ｅ，３６ａ（ランナー３５及びシュー３６）が噛合するように付勢されることで、前記ドライブケーブル２８（ケーブル部２８ａ，２８ｂ）とともに前記ガーニッシュ３３が移動し、前記遮光シート３２が前記ルーフパネル１１を遮る方向又は開放する方向に移動する。一方、例えば前記ドライブケーブル２８が伸びるなどして前記ガーニッシュ３３の両端部間（両ランナー３５間）に前記ガーニッシュ３３の移動方向で位置ずれが生じた場合を想定する。前記噛合部４２ｅ，３６ａは噛合位置を前記ガーニッシュ３３の移動方向に調整自在な調整幅を有しているため、前記コイルスプリング３９の付勢力に抗して前記噛合部４２ｅ，３６ａの噛合状態を解除しそれらの噛合位置を前記ガーニッシュ３３の移動方向へずらすことで、大掛かりな分解作業を行うことなく前記ガーニッシュ３３の前記両端部間の位置ずれを調整できる。そのため、ガーニッシュ３３の傾きの影響で遮光シート３２が傾いてしまっても、該位置ずれの調整により遮光シート３２の傾きを無くすことができる。それゆえ、サンシェード装置のスムーズな動作性を確保できる。また、このように該位置ずれの調整ができるため、該ガーニッシュ３３（ランナー３５）に対向するシュー３６に要求される組み付け時の位置精度を緩和することができ、その分、組付性を向上することができる。特に、該位置ずれを調整する機構を、該ガーニッシュ３３及び前記ドライブケーブル２８の連結部（ランナー３５及びシュー３６）に集約的に配設したことで、例えば従来のサンシェード装置のような遮光シートの移動平面に対し交差する方向（車両高さ方向）に調整機構を重ねて配設する場合に比べて該方向に対して薄型化でき、その分ヘッドクリアランスを増大することができる。あるいは、ヘッドクリアランスの制約が緩和される分、設計の自由度を増大することができる。
【００３８】
（２）本実施形態では、ランナー３５（調整部４２）は、前記噛合部４２ｅ，３６ａ（ランナー３５及びシュー３６）の噛合位置の調整方向両端に、該噛合位置の調整範囲を制限する側壁４２ａ，４２ｂを有する。従って、両側壁４２ａ，４２ｂにより前記噛合部４２ｅ，３６ａの噛合位置の調整範囲が制限されることで、前記ガーニッシュ３３の位置ずれが過剰に調整されて前記噛合部４２ｅ，３６ａの噛合力が不十分になり、あるいは噛合が外れたりすることを抑制することができる。
【００３９】
（３）本実施形態では、前記噛合部４２ｅ，３６ａは、前記ガーニッシュ３３の幅方向に対向して噛合する。従って、前記コイルスプリング３９は、前記ガーニッシュ３３の幅方向に付勢力を発生すればよいことから、前記噛合部４２ｅ，３６ａとともに前記ガーニッシュ３３の幅方向に並べて配設することができ、装置全体として車両高さ方向（遮光シート３２の移動平面に対し交差する方向）により薄型化することができる。また、前記コイルスプリング３９は、前記噛合部４２ｅ，３６ａの噛合位置を調整・保持するための機能に加えて、前記ガーニッシュ３３及び前記ドライブケーブル２８の連結部（ランナー３５及びシュー３６）のがたを吸収するための機能を有することで、部品点数の増大を抑制することができる。
【００４０】
（４）本実施形態では、ランナー３５（調整部４２）は、前記噛合部４２ｅ，３６ａ（ランナー３５及びシュー３６）の噛合位置の車両高さ方向（遮光シート３２の移動平面に対し交差する方向）へのずれを規制する上壁４２ｃ及び下壁４２ｄを有する。従って、前記噛合部４２ｅ，３６ａの噛合位置の車両高さ方向へのずれによって該噛合部４２ｅ，３６ａの噛合力が不十分になり、あるいは噛合が外れたりすることを抑制することができる。そして、噛合部４２ｅ，３６ａの噛合の信頼性を向上することができる。
【００４１】
（５）本実施形態では、ランナー３５及びシュー３６の係合部（噛合部４２ｅ，３６ａ）は、前記ガイドレール１５に形成されたガイド溝１５ａに移動自在に収納されて外部への露出が抑制されるため、例えば車室内側からの見栄えを向上することができる。
【００４２】
（６）本実施形態では、前記操作部４１ｄを通じた操作入力により、前記コイルスプリング３９の付勢力に抗して前記噛合部４２ｅ，３６ａの噛合状態を簡易に解除することができる。
【００４３】
（７）本実施形態では、ガーニッシュ３３及びドライブケーブル２８の連結部（ランナー３５及びシュー３６）に設けた噛合部４２ｅ，３６ａによる極めて簡易な構造で、ガーニッシュ３３の平行度を調整できるため、部品点数の増大を抑制してコストを削減することができる。
【００４４】
（８）本実施形態では、ガーニッシュ３３の両端部の相対的な位置ずれを調整できるため、前記ガーニッシュ３３の幅方向（軸線）が前記巻取ローラ３１の巻き取り軸と平行に調整可能となる。それゆえ、遮光シート３２は巻き取り軸に対して垂直に引き出すことができる。
【００４５】
なお、上記実施形態は以下のように変更してもよい。
・前記実施形態において、遮光シート３２は、ガーニッシュ３３（及び巻取ローラ３１）の長手方向に複数並設されていてもよい。
【００４６】
・前記実施形態において、ドライブケーブル２８は、ベルト（例えばタイミングベルト）やチェーンで構成してもよい。
・前記実施形態において、噛合部３６ａをドライブケーブルに直に設けてもよい。
【００４７】
・前記実施形態においては、ランナー３５に設けた上壁４２ｃ及び下壁４２ｄにより前記噛合部４２ｅ，３６ａの噛合位置の車両高さ方向へのずれを規制したが、例えば上壁４２ｃ及び下壁４２ｄに代えてシュー３６に設けた同様の交差方向規制部により前記噛合部４２ｅ，３６ａの噛合位置の車両高さ方向へのずれを規制してもよい。
【００４８】
・前記実施形態においては、ランナー３５に設けた両側壁４２ａ，４２ｂにより前記噛合部４２ｅ，３６ａの噛合位置の調整範囲を制限したが、例えば両側壁４２ａ，４２ｂに代えてランナー３５よりも長い車両前後方向の長さを有するシュー３６に設けた同様の規制部により前記噛合部４２ｅ，３６ａの噛合位置の調整範囲を制限してもよい。
【００４９】
・前記実施形態においては、ランナー３５（調整部４２）に車両前後方向に所定間隔をおいて車両幅方向に凹凸を繰り返すラックギヤ状の噛合部４２ｅを形成するとともに、シュー３６に前記噛合部４２ｅに噛合可能なラックギヤ状の噛合部３６ａを形成した。これに対し、ランナー３５に車両前後方向に所定間隔をおいて車両高さ方向に凹凸を繰り返すラックギヤ状の噛合部を形成するとともに、該噛合部に噛合可能なラックギヤ状の噛合部をシュー３６に形成してもよい。
【００５０】
・前記実施形態において、ガーニッシュ３３の平行度の調整に係る機構（噛合部４２ｅ，３６ａ）は、該ガーニッシュ３３の一方の端部にのみ配設するようにしてもよい。またこの場合、ガーニッシュ３３の当該機構の配設されない他方の端部をシュー３６に直結してもよい。
【００５１】
・前記実施形態では、ランナー３５の前後方向の幅（噛合部４２ｅの調整幅）をシュー３６の前後方向の幅（噛合部３６ａの調整幅）よりも大きくして噛合部３６ａの全体を噛合部４２ｅに噛合した。これに対し、例えばランナー３５及びシュー３６が互いに同等の前後方向の幅を有しているとして、これらの噛合部４２ｅ，３６ａの一部分同士を噛合させる態様でガーニッシュ３３の両端部間の位置ずれを調整してもよい。
【００５２】
・前記実施形態において、噛合部４２ｅ，３６ａのうちのいずれか一方にのみ調整幅を設けるようにしてもよい。すなわち、噛合部４２ｅ，３６ａのうちのいずれか一方の歯数を１枚にし、噛合部４２ｅ，３６ａのうちのいずれか他方の歯数を複数にしてそのギヤ形状の範囲を調整幅とするようにしてもよい。
【００５３】
・本発明は、例えば車両幅方向に移動して透光部材を遮蔽又は開放する遮光シートに適用してもよい。この場合、車両幅方向に移動するガーニッシュは、巻取ローラとともに車両前後方向に延在する。
【００５４】
・本発明は、透光部材としてのフロントガラスＧ（図５参照）の上部を遮る方向及び開放する方向に移動自在な遮光シート（いわゆるサンバイザ）に適用してもよい。あるいは、その他のガラス（サイドガラスなど）に設けられるカーテン機能の遮光シートに適用してもよい。
【００５５】
・本発明は、巻取機能（巻取ローラ）を備えたロール式のサンシェード装置（ロールサンシェード装置）に限定されるものではなく、当該機能を割愛したサンシェード装置であってもよい。
【００５６】
次に、上記実施形態及び別例から把握できる技術的思想について以下に追記する。
・請求項１〜５のいずれか一項に記載のサンシェード装置において、
前記付勢部材は、前記ガーニッシュ及び前記ガーニッシュ噛合部間に設けられており、
前記ガーニッシュ噛合部は、前記付勢部材の付勢力に抗して前記ケーブル噛合部及び前記ガーニッシュ噛合部の噛合状態を解除する操作入力用の操作部を有することを特徴とするサンシェード装置。同構成によれば、前記操作部を通じた操作入力により、前記付勢部材の付勢力に抗して前記ケーブル噛合部及び前記ガーニッシュ噛合部の噛合状態を簡易に解除することができる。
【図面の簡単な説明】
【００５７】
【図１】本発明の一実施形態を示す平面図。
【図２】同実施形態を示す斜視図。
【図３】同実施形態を示す分解斜視図。
【図４】（ａ）（ｂ）（ｃ）は、同実施形態を示す平面図、正面図及び断面図。
【図５】車両ルーフを示す斜視図。
【符号の説明】
【００５８】
１０…車両ルーフ、１０ａ…ルーフ開口部（車両開口部）、１１…ルーフパネル（透光部材）、１５…ガイドレール、１５ａ…ガイド溝、２８…ドライブケーブル、３１…巻取ローラ（ロール部材）、３２…遮光シート、３３…ガーニッシュ、３５…ランナー（ガーニッシュ噛合部）、３６…シュー（ケーブル噛合部）、３９…コイルスプリング（付勢部材）、４２ａ，４２ｂ…側壁（規制部）、４２ｃ…上壁（交差方向規制部）、４２ｄ…下壁（交差方向規制部）。
【図１】
2010000982.tif 000003
【図２】
2010000982.tif 000004
【図３】
2010000982.tif 000005
【図４】
2010000982.tif 000006
【図５】
2010000982.tif 000007